(57)【特許請求の範囲】
【請求項１】
第１筐体と第２筐体とを互いに重ね合わせた状態で互いに平面方向に回転させて、前記第１筐体及び前記第２筐体のいずれか一方の筐体の上面を前記第１筐体及び前記第２筐体のいずれか他方の筐体の下面で覆う閉成状態と、前記一方の筐体の上面を露出させる開成状態とを形成するようにした水平回転機構であって、
前記一方の筐体の上面及び前記他方の筐体の下面のいずれか一方の面に設けられた第１垂直軸と、前記一方の筐体の上面及び前記他方の筐体の下面のいずれか他方の面に設けられた第２垂直軸と、前記第１垂直軸に一端部が回転可能に設けられていると共に前記第２垂直軸に他端部が回転可能に設けられ、前記第１筐体と前記第２筐体とを回転可能に連結する回転部材と、前記閉成状態又は前記開成状態のとき、前記第１筐体及び前記第２筐体が前記第１垂直軸及び前記第２垂直軸のいずれか一方の軸を軸に回転可能であり、前記閉成状態又は前記開成状態以外の状態のとき、前記第１筐体及び前記第２筐体が前記第１垂直軸及び前記第２垂直軸のいずれか他方の軸を軸として回転することを防止する回転規制手段とを備え、
少なくとも前記閉成状態の前記第１筐体及び第２筐体が前記第１垂直軸を軸に互いに回転して第１開成状態となると共に、前記閉成状態の前記第１筐体及び前記第２筐体が前記第２垂直軸を軸に互いに回転して第２開成状態となるように構成したことを特徴とする、携帯機器の水平回転機構。
【請求項２】
前記閉成状態の前記第１筐体及び前記第２筐体が前記第１垂直軸及び前記第２垂直軸のいずれか一方の軸を軸に互いに回転してから前記第１垂直軸及び前記第２垂直軸のいずれか他方の軸を軸に互いに回転して第３開成状態となるように構成し、前記第１筐体及び前記第２筐体を、前記閉成状態又は前記第１開成状態〜前記第３開成状態の４つの各状態にそれぞれロックするロック手段を備えたことを特徴とする、請求項１に記載の携帯機器の水平回転機構。
【請求項３】
前記ロック手段が、前記一方の面及び前記回転部材のいずれか一方に設けられた球面状の第１ロック凹部と、この第１ロック凹部と前記閉成状態、前記第１開成状態又は前記第３開成状態のときに係合し、前記一方の面及び前記回転部材のいずれか他方に設けられた第１ボールと、前記他方の面及び前記回転部材のいずれか一方に設けられた球面状の第２ロック凹部と、この第２ロック凹部と前記閉成状態、前記第２開成状態又は前記第３開成状態のときに係合し、前記他方の面及び前記回転部材のいずれか他方に設けられた第２ボールとを備えたことを特徴とする、請求項２に記載の携帯機器の水平回転機構。
【請求項４】
前記回転規制手段が、前記第１垂直軸及び前記第２垂直軸のいずれか一方の軸に設けられる第１カムと、前記第１垂直軸及び前記第２垂直軸のいずれか他方の軸に設けられる第２カムと、前記回転部材に設けられ、前記第１筐体及び前記第２筐体が前記閉成状態又は前記開成状態から前記第１垂直軸及び前記第２垂直軸のいずれか一方の軸を軸として回転するとき、この一方の軸とは異なる他方の軸に設けられた前記第１カム又は前記第２カムと係合して前記他方の軸を軸としての前記第１筐体及び前記第２筐体の回転を防止し、かつ、前記一方の軸を軸として回転した前記第１垂直軸及び前記第２垂直軸が前記閉成状態又は前記開成状態となったとき、前記他方の軸に設けられた前記第１カム又は前記第２カムとの係合が解除し得る状態になるストッパ部材とを備えたことを特徴とする、請求項１〜３のいずれか１項に記載の携帯機器の水平回転機構。
【請求項５】
前記第１カムが、周面の一部に第１カム凹部を有する円形状に形成され、
前記第２カムが、周面の一部に第２カム凹部を有する円形状に形成され、
前記ストッパ部材が、一端部が前記第１カム凹部に挿入されて係合したとき他端部が前記第２カム凹部に近接すると共に、他端部が前記第２カム凹部に挿入されて係合したとき一端部が前記第２カム凹部に近接する移動可能に前記回転部材に設けられ、
前記閉成状態又は前記開成状態のとき、このストッパ部材の一端部が前記第１カム凹部に係合されているか又は他端部が前記第２カム凹部に係合され、このストッパ部材の端部が係合されている前記第１カム凹部又は前記第２カム凹部が回転すると、この前記第１カム凹部又は前記第２カム凹部から前記ストッパ部材の端部が離脱すると共に、このストッパ部材の残りの端部が前記第２カム凹部又は前記第１カム凹部に係合されるように前記ストッパ部材が移動することを特徴とする、請求項４に記載の携帯機器の水平回転機構。
【発明の詳細な説明】
【技術分野】
【０００１】
本発明は、第１筐体と第２筐体とを互いに開閉させる際に用いられて好適な携帯機器の水平回転機構に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体とが重なり合って第２筐体で第１筐体の上面を覆う閉成状態と、第２筐体を第１筐体の上面に対して平行な平面方向に略１８０°回転させて第１筐体の上面を露出させる開成状態とを作り出す、水平回転機構付きのものが知られている。このような携帯電話機の水平回転機構としては、下記する特許文献１に記載されたものが公知である。
【特許文献１】特開２００２−１１１２３８号公報
【発明の開示】
【発明が解決しようとする課題】
【０００３】
この特許文献１に記載されたものは、第１筐体と第２筐体とは、それら前端部近傍に第１筐体の上面や第２筐体の下面に対して垂直に設けられた１つのヒンジユニットによって連結されて、それら面に対して平行な平面方向に第１筐体と第２筐体とを互いに１８０°回転することができるという構成のものであった。このように、第１筐体と第２筐体とが１つのヒンジユニットによって互いに１８０°回転可能に連結されているために、開成状態での第１筐体に対する第２筐体の位置は１つに限定されるので、例えば、第２筐体に設けられているディスプレイ部を縦長のみしか利用することができず、携帯電話機の機能を十分に発揮することができないことがあった。すなわち、近年の携帯電話機は、通話機能の他にインターネット等の通信回線を利用した機能やゲーム機能等の多種多様な機能を備えたものが市場に出回っている。このような携帯電話機では、ディスプレイ部を縦長にのみしか利用できないと、機能を十分に発揮することができないことがあった。
【０００４】
本発明は、前記課題を解決するためになされたものであって、その目的は、携帯機器を構成する第１筐体と第２筐体とを複数の開成状態に位置決めすることができる携帯機器の水平回転機構を提供することにある。
【課題を解決するための手段】
【０００５】
前記の目的を達成するための本発明に係る携帯機器の水平回転機構は、第１筐体と第２筐体とを互いに重ね合わせた状態で互いに平面方向に回転させて、前記第１筐体及び前記第２筐体のいずれか一方の筐体の上面を前記第１筐体及び前記第２筐体のいずれか他方の筐体の下面で覆う閉成状態と前記一方の筐体の上面を露出させる開成状態とを形成するようにした水平回転機構であって、前記一方の筐体の上面及び前記他方の筐体の下面のいずれか一方の面に設けられた第１垂直軸と、前記一方の筐体の上面及び前記他方の筐体の下面のいずれか他方の面に設けられた第２垂直軸と、前記第１垂直軸に一端部が回転可能に設けられていると共に前記第２垂直軸に他端部が回転可能に設けられ、前記第１筐体と前記第２筐体とを回転可能に連結する回転部材と、前記閉成状態又は前記開成状態のとき、前記第１筐体及び前記第２筐体が前記第１垂直軸及び前記第２垂直軸のいずれか一方の軸を軸に回転可能であり、前記閉成状態又は前記開成状態以外の状態のとき、前記第１筐体及び前記第２筐体が前記第１垂直軸及び前記第２垂直軸のいずれか他方の軸を軸として回転することを防止する回転規制手段とを備え、少なくとも前記閉成状態の第１筐体及び第２筐体が前記第１垂直軸を軸に互いに回転して第１開成状態となると共に、前記閉成状態の第１筐体及び第２筐体が前記第２垂直軸を軸に互いに回転して第２開成状態となるように構成したことを特徴とする。
【０００６】
この発明によれば、例えば、第１筐体に設けられた第1垂直軸と第２筐体に設けられた第２垂直軸とに両端部がそれぞれ回転可能に回転部材が設けられ、この回転部材によって第１筐体及び第２筐体が互いに回転可能に連結されて、少なくとも閉成状態の第１筐体及び第２筐体が第１垂直軸を軸に互いに回転して第１開成状態となると共に、閉成状態の第１筐体及び第２筐体が第２垂直軸を軸に互いに回転して第２開成状態となるので、第１筐体と第２筐体とを複数の開成状態に位置決めすることができ、汎用性に優れたものとなる。
【０００７】
本発明に係る携帯機器の水平回転機構において、前記閉成状態の前記第１筐体及び前記第２筐体が前記第１垂直軸及び前記第２垂直軸のいずれか一方の軸を軸に互いに回転してから前記第１垂直軸及び前記第２垂直軸のいずれか他方の軸を軸に互いに回転して第３開成状態となるように構成し、前記第１筐体及び前記第２筐体を、前記閉成状態又は前記第１開成状態〜前記第３開成状態の４つの各状態にそれぞれロックするロック手段を備えることが好ましい。また、本発明に係る携帯機器の水平回転機構において、前記ロック手段が、前記一方の面及び前記回転部材のいずれか一方に設けられた球面状の第１ロック凹部と、この第１ロック凹部と前記閉成状態、前記第１開成状態又は前記第３開成状態のときに係合し、前記一方の面及び前記回転部材のいずれか他方に設けられた第１ボールと、前記他方の面及び前記回転部材のいずれか一方に設けられた球面状の第２ロック凹部と、この第２ロック凹部と前記閉成状態、前記第２開成状態又は前記第３開成状態のときに係合し、前記他方の面及び前記回転部材のいずれか他方に設けられた第２ボールとを備えることが好ましい。
【０００８】
また、本発明に係る携帯機器の水平回転機構において、前記回転規制手段が、前記第１垂直軸及び前記第２垂直軸のいずれか一方の軸に設けられる第１カムと、前記第１垂直軸及び前記第２垂直軸のいずれか他方の軸に設けられる第２カムと、前記回転部材に設けられ、前記第１筐体及び前記第２筐体が前記閉成状態又は前記開成状態から前記第１垂直軸及び前記第２垂直軸のいずれか一方の軸を軸として回転するとき、この一方の軸とは異なる他方の軸に設けられた前記第１カム又は前記第２カムと係合して前記他方の軸を軸としての前記第１筐体及び前記第２筐体の回転を防止し、かつ、前記一方の軸を軸として回転した前記第１垂直軸及び前記第２垂直軸が前記閉成状態又は前記開成状態となったとき、前記他方の軸に設けられた前記第１カム又は前記第２カムとの係合が解除し得る状態になるストッパ部材とを備えることが好ましい。また、本発明に係る携帯機器の水平回転機構において、前記第１カムが、周面の一部に第１カム凹部を有する円形状に形成され、前記第２カムが、周面の一部に第２カム凹部を有する円形状に形成され、前記ストッパ部材が、一端部が前記第１カム凹部に挿入されて係合したとき他端部が前記第２カム凹部に近接すると共に、他端部が前記第２カム凹部に挿入されて係合したとき一端部が前記第２カム凹部に近接する移動可能に前記回転部材に設けられ、前記閉成状態又は前記開成状態のとき、このストッパ部材の一端部が前記第１カム凹部に係合されているか又は他端部が前記第２カム凹部に係合され、このストッパ部材の端部が係合されている前記第１カム凹部又は前記第２カム凹部が回転すると、この前記第１カム凹部又は前記第２カム凹部から前記ストッパ部材の端部が離脱すると共に、このストッパ部材の残りの端部が前記第２カム凹部又は前記第１カム凹部に係合されるように前記ストッパ部材が移動することが好ましい。
【発明の効果】
【０００９】
以上説明したように本発明に係る携帯機器の水平回転機構によれば、閉成状態である第１位置の第１筐体及び第２筐体が第１垂直軸を軸に互いに回転して第１開成状態となると共に、閉成状態の第１筐体及び第２筐体が第２垂直軸を軸に互いに回転して第２開成状態となるので、第１筐体と第２筐体とを複数の開成状態に位置決めすることができ、汎用性に優れたものである。
【発明を実施するための最良の形態】
【００１０】
以下、本発明に係る携帯機器の水平回転機構を添付図面に基づいて詳述する。
【００１１】
図１及び図２は本発明に係る水平回転機構を備えた携帯機器の一例を示す図である。図３〜図５は本発明に係る水平回転機構の一例を示す図である。本発明に係る携帯機器は、図１、図２及び図４に示すように、第１筐体１１と第２筐体１２とを互いに重ね合わせた状態で互いに平面方向に回転させて、第１筐体１１及び第２筐体１２のいずれか一方の筐体例えば第１筐体１１の上面を第１筐体１１及び第２筐体１２のいずれか他方の筐体例えば第２筐体１２の下面で覆う閉成状態（図１（ａ）及び図４（ａ）参照。）と第１筐体１１の上面を露出させる開成状態（図１（ｂ）〜図１（ｄ）及び図４（ｂ）〜図４（ｄ）参照。）とを形成するものである。なお、第１筐体１１及び第２筐体１２は、図４において想像線で記載してある。
【００１２】
この本発明に係る携帯機器の水平回転機構は、第１筐体１１と第２筐体１２とを互いに重ね合わせた状態で互いに平面方向に回転させて、前記第１筐体１１及び前記第２筐体１２のいずれか一方の筐体の上面を前記第１筐体１１及び前記第２筐体１２のいずれか他方の筐体の下面で覆う閉成状態と、前記一方の筐体の上面を露出させる開成状態とを形成するようにした水平回転機構１であって、前記一方の筐体の上面及び前記他方の筐体の下面のいずれか一方の面に設けられた第１垂直軸（例えばメインシャフト４）と、前記一方の筐体の上面及び前記他方の筐体の下面のいずれか他方の面に設けられた第２垂直軸（例えばＬＣＤシャフト５）と、前記第１垂直軸に一端部が回転可能に設けられていると共に前記第２垂直軸に他端部が回転可能に設けられ、前記第１筐体１１と前記第２筐体１２とを回転可能に連結する回転部材６と、前記閉成状態又は前記開成状態のとき、前記第１筐体１１及び前記第２筐体１２が前記第１垂直軸及び前記第２垂直軸のいずれか一方の軸を軸に回転可能であり、前記閉成状態又は前記開成状態以外の状態のとき、前記第１筐体１１及び前記第２筐体１２が前記第１垂直軸及び前記第２垂直軸のいずれか他方の軸を軸として回転することを防止する回転規制手段７とを備え、少なくとも前記閉成状態の前記第１筐体１１及び第２筐体１２が前記第１垂直軸を軸に互いに回転して第１開成状態となると共に、前記閉成状態の前記第１筐体１１及び前記第２筐体１２が前記第２垂直軸を軸に互いに回転して第２開成状態となるように構成したことを特徴とする。
【００１３】
携帯機器としては、特に限定されず、例えば、ポケットコンピュータ、携帯ゲーム機、携帯電話機、ノート型のパソコン、ザウルス（商標）等の携帯情報端末機、電卓等が挙げられ、特にポケットコンピュータ、携帯ゲーム機が好ましいものとして挙げられる。なお、本発明において携帯機器としては、その他、灰皿、ケース蓋等も含まれる。すなわち、２つの筐体を互いに回転させるものであれば特に限定されない。また、本実施の形態では、携帯機器として携帯電話機１０について説明するが、これに限定されるものではない。
【００１４】
第１筐体１１は、携帯電話機１０の送話部を構成するものであり、例えば、キーボード部（図示せず）やマイク部（図示せず）等を上面に有している。第１筐体１１は、細長の略矩形状に形成されている。第１筐体１１は、例えば、厚さ方向に２つに分割された第１リア筐体１１ａと第１フロント筐体１１ｂとからなることが好ましい。これら第１リア筐体１１ａと第１フロント筐体１１ｂとは、例えばネジ１９ａ止めされて第１筐体１１が組み付けられる（図２参照。）。第１フロント筐体１１ｂの上面、つまり、第１筐体１１の上面の左側端部の略中央部には、キーベース部材２を取り付けるためのキーベース部材取付凹部１３が設けられており、このキーベース部材取付凹部１３にキーベース部材２を取りつけ、第１フロント筐体１１ｂの下面側から例えばネジ１７等を用いてキーベース部材２を第１フロント筐体１１ｂに着脱可能に固定できるようになっている。
【００１５】
第２筐体１２は、同じく携帯電話機１０の受話部を構成するものであり、例えば、ＬＣＤなどのディスプレイ部１２ｄ、スピーカー部（図示せず）、カメラ部（図示せず）等を上面に有している。第２筐体１２は、第１筐体１１と略同じ細長の略矩形状に形成されている。第２筐体１２は、例えば、厚さ方向に２つに分割された第２リア筐体１２ａと第２フロント筐体１２ｂとからなることが好ましい。これら第２リア筐体１２ａと第２フロント筐体１２ｂとは、例えばネジ１９ｂ止めされて第２筐体１２が組み付けられる（図２参照。）。第２リア筐体１２ａの下面（つまり、第２筐体１２の下面）の略中央部には、図２及び図７に示すように、ＬＣＤベース部材３を取り付けるためのＬＣＤ部材取付凹部１４が設けられており、このＬＣＤ部材取付凹部１４にＬＣＤベース部材３を取り付け、第２リア筐体１２ａの上面側から例えばネジ１８等を用いてＬＣＤベース部材３を第２リア筐体１２ａに着脱可能に固定できるようになっている。また、第２リア筐体１２ａの下面の略中央部から左側端部には、回転部材６が収容されると共に第１筐体１１及び第２筐体１２が互いに回転するときに回転部材６の移動を許容する収容凹部１５が設けられている。
【００１６】
これらの第１筐体１１と第２筐体１２とが図１、図２及び図４に示すように互いに重ね合わされた閉成状態から例えば第１筐体１１に対して第２筐体１２を水平方向に互いに回転し得るように第１筐体１１と第２筐体１２とが水平回転機構１を介して連結されて携帯電話機１０が構成されている。すなわち、この携帯電話機１０は、第１筐体１１の上面に第２筐体１２が互いに重ね合わされてキーボード部等を閉塞すると共に、第１筐体１１に対して第２筐体１２が回転してキーボード部等を露出させることができるようになっている。
【００１７】
本発明に係る携帯機器の水平回転機構１は、図２〜図６に示すように、第１筐体１１の上面及び第２筐体１２の下面のいずれか一方の面、例えば、第１筐体１１の上面に設けられた第１垂直軸と、第１筐体１１の上面及び第２筐体１２の下面のいずれか他方の面、例えば、第２筐体１２の下面に設けられた第２垂直軸と、第１垂直軸に一端部が回転可能に設けられていると共に第２垂直軸に他端部が回転可能に設けられ、第１筐体１１と第２筐体１２とを回転可能に連結する回転部材６と、閉成状態又は開成状態のとき、第１筐体１１及び第２筐体１２が第１垂直軸及び第２垂直軸のいずれか一方の軸を軸に回転可能であり、閉成状態又は開成状態以外の状態のとき、第１筐体１１及び第２筐体１２が第１垂直軸及び第２垂直軸のいずれか他方の軸を軸として回転することを防止する回転規制手段７とを備え、少なくとも閉成状態の第１筐体１１及び第２筐体１２が第１垂直軸を軸に互いに回転して第１開成状態となると共に、閉成状態の第１筐体１１及び第２筐体１２が第２垂直軸を軸に互いに回転して第２開成状態となるように構成したことに特徴がある。この本発明に係る携帯機器の水平回転機構１は、第１筐体１１及び第２筐体１２を閉成状態又は開成状態にロックするロック手段８を備えていることが好ましい。
【００１８】
第１垂直軸は、回転部材６の一端部を回転可能に支持するものであり、例えば、メインシャフト４等が用いられる。このメインシャフト４が第１筐体１１に固定されたキーベース部材２に取り付けられる。このキーベース部材２は、図２〜図５及び図８に示すように、例えば、略矩形平板状に形成された基部２ａを有している。基部２ａの四隅近傍には、キーベース部材２を取り付けるためのネジ１７を挿通させる貫通孔２ｃがそれぞれ設けられている。基部２ａの上端部は、上面側に折り返されて可動部材の回転範囲を略０°〜１８０°に規制するストッパ部２１として形成されている。このストッパ部２１を構成する折曲部２ｂと基部２ａとには、例えば、ネジ２７を挿通させる貫通孔２ｄがそれぞれ設けられている。これら折曲部２ｂと基部２ａとの間にスペーサ２５を設けて、例えば、ネジ２７により第１フロント筐体１１ｂに固定されるようになっている。このように、折曲部２ｂと基部２ａとの間にスペーサ２５を設けることにより、折曲部２ｂと基部２ａとからなるストッパ部２１を第１フロント筐体１１ｂに強固に固定することができる。この基部２ａの略中央部は、上方に円形平板状に突出し、この突出面が回転部材６が回転可能に摺接する第１摺動部２２として形成されている。この第１摺動部２２の中央部には、メインシャフト４を取り付けるためのメインシャフト取付孔２３が同軸上に設けられている。メインシャフト取付孔２３は、円形の対向する側部を平行に切り欠いた略長円状に形成されている。
【００１９】
メインシャフト４は、図１１に示すように、例えば、円板状の基部４ａの一方の面に、同軸上に３段の円環部が設けられて形成されている。これら円環部は、先端部から順次第１円環部４ｂ、第２円環部４ｃ及び第３円環部４ｄとして形成されている。第１円環部４ｂは、メインシャフト取付孔２３に例えば圧入されて取り付けられる箇所であり、メインシャフト取付孔２３と略同じ形状、すなわち、円形の対向する側部を平行に切り欠いた略長円状に形成されている。第２円環部４ｃは、第１円環部４ｂより大径で形成されており、この第２円環部４ｃに回転部材６が回転可能に支持されるようになっている。第３円環部４ｄは、第２円環部４ｃより大径で形成されている。
【００２０】
第２垂直軸は、回転部材６の他端部を回転可能に支持するものであり、例えば、ＬＣＤシャフト５等が用いられる。このＬＣＤシャフト５が第２筐体の下面に固定されたＬＣＤベース部材３に取り付けられる。このＬＣＤベース部材３は、図２〜図５及び図９に示すように、例えば、略矩形平板状に形成されている。ＬＣＤベース部材３の厚さは、例えば、後述する第２ボール８４の径より半分以下の寸法で形成されていることが好ましい。ＬＣＤベース部材３の四隅近傍には、ＬＣＤベース部材３を取り付けるためのネジ１８を挿通させる貫通孔３ｃがそれぞれ設けられている。また、ＬＣＤベース部材３の左下隅の側部近傍には、規制凹部３１が設けられている。ＬＣＤベース部材３の略中央部は、略円形平板状に下方に突出し、この下方の突出面が回転部材６の他端部が回転可能に摺接する第２摺動部３２として形成されている。この第２摺動部３２の反対側は、シャフト収容凹部３３として形成されている。第２摺動部３２の中央部には、ＬＣＤシャフト５を回転可能に取り付けるための円形状のＬＣＤシャフト取付孔３４が同軸上に設けられている。
【００２１】
ＬＣＤシャフト５は、シャフト収容凹部３３と第２筐体１２とで挟持されてシャフト収容凹部３３内に回転可能に収容される。ＬＣＤシャフト５は、例えば、円板状の基部５ａの一方の面に同軸上に２段の円柱部が設けられて形成されている。これら円柱部は、先端部から第１円柱部５ｂと第２円柱部５ｃとして形成されている。基部５ａの径は、第２摺動部３２より小径で、かつＬＣＤシャフト取付孔３４より大径の寸法で形成されている。第２円柱部５ｃは、ＬＣＤシャフト取付孔３４の径より若干小さな寸法の径で形成されている。第１円柱部５ｂは、第２円柱部５ｃの径より小さな寸法の径で形成されている。ＬＣＤシャフト５は、第１円柱部５ｂがＬＣＤシャフト取付孔３４を貫通して第２円柱部５ｃがＬＣＤシャフト取付孔３４に挿通された状態でシャフト収容凹部３３内に収容されて取り付けられている。すなわち、ＬＣＤシャフト５は、第１円柱部５ｂが第２摺動部３２から突出すると共に、第２円柱部５ｃの外周がＬＣＤシャフト取付孔３４に接して回転可能にシャフト収容凹部３３内に収容されて取り付けられている。
【００２２】
回転部材６は、図２〜図５及び図１０に示すように、両端部が略半円状に形成された略長円平板状に形成されている。回転部材６の厚さは、後述する第１ボール８２の径より半分以下の寸法で形成されていることが好ましい。回転部材６の周縁部は、全体的に上方に略９０°折り曲げられて壁部６ａとして形成されている。この壁部６ａの上端部の一部には、上方に突出する回転規制突部６１が設けられている。この回転規制突部６１は、ＬＣＤシャフト５に対するＬＣＤベース部材３の回転範囲を略０°〜９０°に規制するためのものである。すなわち、閉成状態又は第１開成状態のとき、図５（ａ）、（ｃ）及び（ｄ）に示すように、ＬＣＤベース部材３の一部が回転規制突部６１に当接してＬＣＤベース部材３がＬＣＤシャフト５に対して反時計回りの回転が防止されると共に、このＬＣＤベース部材３がＬＣＤシャフト５に対して時計回りに略９０°回転すると、ＬＣＤベース部材３の規制凹部３１に回転規制突部６１が当接して、ＬＣＤベース部材３のＬＣＤシャフト５に対する回転範囲、すなわち、第２筐体１２が第１筐体１１に対してＬＣＤシャフト５を軸に回転する回転範囲が０°〜９０°の範囲に規制されるようになっている。
【００２３】
回転部材６は、一端部が第１摺動部２２と対向する位置に位置されると共に他端部が第２摺動部３２と対向する位置に位置される寸法の長さで形成されている。回転部材６の略中央部には、その長手方向に延びる長円状のガイド孔６２が設けられている。回転部材６の一端部には、回転孔６３が同軸上に設けられている。この回転孔６３は、例えば、第２円環部４ｃの径より若干大きな寸法の径で形成されている。メインシャフト４の第１円環部４ｂが回転部材６の回転孔６３を貫通してキーベース部材２のメインシャフト取付孔２３に取り付けられると共に、第２円柱部５ｃの外周に回転部材６の回転孔６３が位置されるようにメインシャフト４が回転部材６を介してキーベース部材２に取り付けられている。これにより、回転部材６は、メインシャフト４を軸に壁部６ａがストッパ部２１に当接する略０°〜１８０°の範囲で回転し得るように構成されている。すなわち、第２筐体１２が第１筐体１１に対してメインシャフト４を軸に回転する回転範囲が略０°〜１８０°の範囲に規制されるようになっている。
【００２４】
回転部材６の他端部の略中央部は、上方に円形平板状に突出し、この突出面がＬＣＤ部材の第２摺動部３２と対向する第３摺動部６５として形成されている。第３摺動部６５の径は、第２摺動部３２の径より若干小さな寸法で形成されていることが好ましい。この第３摺動部６５の中央部には、取付孔６６が同軸上に設けられている。この取付孔６６は、ＬＣＤシャフト５の第１円柱部５ｂの径と略同じ寸法の径で形成されている。この取付孔６６に第２摺動部３２から突出する第１円柱部５ｂを圧入することにより、ＬＣＤシャフト５が回転部材６の他端部に取り付けられる。すなわち、回転部材６は、ＬＣＤシャフト５を軸に回転可能に第２筐体１２に取り付けられるようになっている。これにより、第１筐体１１と第２筐体１２とは回転部材６を介してメインシャフト４及びＬＣＤシャフト５を軸に互いに回転し得るようになっている。
【００２５】
すなわち、第１筐体１１の上面が第２筐体１２で覆われた状態が閉成状態である（図１（ａ）、及び図４（ａ）参照。）。この閉成状態の第１筐体１１及び第２筐体１２がメインシャフト４を軸に互いに１８０°回転して第１筐体１１の上面のキーボード部等が露出した状態が第１開成状態である（図１（ｃ）及び図４（ｃ）参照。）。また、閉成状態の第１筐体１１及び第２筐体１２がＬＣＤシャフト５を軸に互いに９０°回転して第１筐体１１の上面のキーボード部等が露出した状態が第２開成状態である（図１（ｂ）及び図４（ｂ）参照。）。また、閉成状態の第１筐体１１及び第２筐体１２がメインシャフト４及びＬＣＤシャフト５のいずれか一方のシャフトを軸に回転してからメインシャフト４及びＬＣＤシャフト５のいずれか他方のシャフトを軸に回転した状態が第３開成状態である（図１（ｄ）及び図４（ｄ）参照。）。具体的には、閉成状態の第１筐体１１及び第２筐体１２をまずメインシャフト４を軸に互いに１８０°回転させて第１開成状態にし、次に、この第１開成状態のＬＣＤシャフト５を軸に第１筐体１１及び第２筐体１２を互いに９０°回転させた状態が第３開成状態となる。また、閉成状態の第１筐体１１及び第２筐体１２をまずＬＣＤシャフト５を軸に互いに９０°回転させて第２開成状態にし、次に、この第２開成状態の第１筐体１１及び第２筐体１２をメインシャフト４を軸に互いに１８０°回転させた状態が第３開成状態となる。
【００２６】
回転規制手段７は、閉成状態又は開成状態のとき、第１筐体１１及び第２筐体１２がメインシャフト４及びＬＣＤシャフト５のいずれか一方のシャフトを軸に回転可能であり、閉成状態又は開成状態から第１筐体１１及び第２筐体１２が回転して閉成状態又は開成状態以外の状態のとき、その回転に寄与していないシャフトを軸として第１筐体１１及び第２筐体１２が回転することを防止するものである。回転規制手段７は、図３〜図６に示すように、例えば、第１カムと、第２カムと、これらの第１カム又は第２カムに係合するストッパ部材７１とからなる。
【００２７】
第１カムは、特に限定されず、例えば、メインシャフト４の基部４ａを第１カム７２として利用することが好ましい。この第１カム７２（メインシャフト４の基部４ａ）の周縁部の対向する２箇所であって第１筐体１１の幅方向と平行な直線上に位置する２箇所には、湾曲状に凹んだ第１カム凹部７３がそれぞれ設けられている。また、第２カムは、特に限定されず、例えば、ＬＣＤベース部材３の第２摺動部３２を第２カム７４として利用することが好ましい。この第２カム７４（第２摺動部３２）の周縁部の２箇所には、湾曲状に凹んだ第２カム凹部７５がそれぞれ設けられている。これら第２カム凹部７５の一方は、閉成状態のとき、メインシャフト４側の周縁部に設けられて第２カム閉凹部７５ａとして形成され、他方が第２カム閉凹部７５ａから上部方向にその周方向に９０°間隔をあけた位置に穿設された第２カム開凹部７５ｂとして形成されている。
【００２８】
ストッパ部材７１は、例えば、回転部材６に移動可能に設けられているものである。ストッパ部材７１は、図３〜図６及び図１２に示すように、例えば、略細長矩形平板状の基部７１ａの両側部７１ｂを略９０°折り曲げた略コ字状に形成されている。この両側部７１ｂの内表面間の長さは、ガイド孔６２の幅の長さより長い寸法で形成されていることが好ましい。ストッパ部材７１の基部７１ａには、その長手方向に並んで２つの取付孔７１ｃが設けられている。これら取付孔７１ｃにストッパピン７６がそれぞれ取り付けられている。なお、図６はストッパ部材と第１カムの第１カム凹部及び第２カムの第２カム凹部との関係が分かりやすいように記載したものであり、その他の部材は省略してある。
【００２９】
ストッパピン７６は、図２及び図６に示すように、円柱状の摺動部７６ａと、この摺動部７６ａの一端部に同軸上に設けられたストッパ片７６ｂと、摺動部７６ａの他端部に同軸上に設けられた挿入部７６ｃとからなる。摺動部７６ａは、ガイド孔６２の幅の長さより若干短い寸法の径で形成されていることが好ましい。挿入部７６ｃは、例えば、ストッパ部材７１の取付孔７１ｃに圧入されて取り付けられるようにその取付孔７１ｃの径と略同じ径で形成されている。ストッパ片７６ｂは、ガイド孔６２の幅の長さより長い寸法で形成されている。ストッパ片７６ｂの一部は、摺動部７６ａの周面に接する接線方向に沿って切り欠かれた切欠部７６ｄが設けられている。このストッパピン７６を２つストッパ片７６ｂの切欠部７６ｄを接触させた状態で回転部材６の下面からガイド孔６２に挿入し、各ストッパピン７６の挿入部７６ｃをストッパ部材７１の取付孔７１ｃに取り付けることにより、ストッパピン７６の摺動部７６ａがガイド孔６２に当接して摺動部７６ａがガイド孔６２を移動し得る範囲でストッパ部材７１が移動するようになっている。
【００３０】
ストッパ部材７１の基部７１ａの両端部には、第１カム凹部７３及び第２カム凹部７５に係合する略半円状の係合凸部（第１カム凹部側が第１係合凸部７７といい、第２カム凹部側が第２係合凸部７８という。）がそれぞれ設けられている。ストッパ部材７１の基部７１ａの長さは、第１係合凸部７７が第１カム凹部７３に入り込んで係合したときには、第２係合凸部７８が第２カム凹部７５に近接して係合しないと共に、第２係合凸部７８が第２カム凹部７５に入り込んで係合したときには、第１係合凸部７７が第１カム凹部７３に近接して係合しない寸法で形成されていることが好ましい。
【００３１】
これにより、閉成状態又は開成状態のとき、ストッパ部材７１の両端部が第１カム凹部７３と第２カム凹部７５と対向しているので、ストッパ部材７１は第１カム凹部７３及び第２カム凹部７５のいずれにも係合可能である。その結果、閉成状態又は開成状態のときには、第１筐体１１及び第２筐体１２がメインシャフト４及びＬＣＤシャフト５のどちらか一方のシャフト例えばメインシャフト４を軸に回転可能になっている。また、閉成状態又は開成状態から第１筐体１１及び第２筐体１２が一方のシャフト例えばメインシャフト４を軸に回転して閉成状態又は開成状態以外の状態のときには、例えば、第１カム凹部７３にストッパ部材７１の第１係合凸部７７が係合していると、メインシャフト４を軸に回転部材６が回転して第１係合凸部７７が第１カム凹部７３から離脱して係合が解除すると共に、第２係合凸部７８が第２カム凹部７５に入り込んで係合するので、他方のシャフトであるＬＣＤシャフト５を軸に第１筐体１１及び第２筐体１２の回転が防止されるようになっている。
【００３２】
ロック手段８は、図３に示すように、第１筐体１１及び第２筐体１２を閉成状態及び第１開成状態〜第３開成状態の４つの各状態（すなわち、第１位置〜第４位置の４つの各位置）にそれぞれロック状態に保持するものである。ロック手段８としては、特に限定されず、例えば、第１筐体１１の上面及び回転部材６のいずれか一方例えば第１筐体１１の上面に取り付けられたキーベース部材２に設けられた球面状の第１ロック凹部８１と、この第１ロック凹部８１と閉成状態、第１開成状態又は第３開成状態のときに係合し、第１筐体１１の上面及び回転部材６のいずれか一方例えば回転部材６に設けられた第１ボール８２と、第２筐体１２の下面及び回転部材６のいずれか一方例えば回転部材６に設けられた球面状の第２ロック凹部８３と、この第２ロック凹部８３と閉成状態、第２開成状態又は第３開成状態のときに係合し、第２筐体１２の下面及び回転部材６のいずれか他方例えば第２筐体１２の下面に取り付けたＬＣＤベース部材３に設けられた第２ボール８４とを備えて構成されている。
【００３３】
第１ロック凹部８１は、例えば、キーベース部材２の第１摺動部２２の上面の周縁部近傍の１８０°間隔の２箇所であって第１筐体１１の高さ方向（長手方向）に対して平行な直線上位置される２箇所に設けられている。これらの第１ロック凹部８１は、球面状、例えば、半球より面積が小さな球面状、すなわち、断面の円弧が劣弧である球面状にそれぞれ形成されている。第１ボール８２は、第１ロック凹部８１の径と同じか若干小さな寸法の径で形成されていることが好ましい。第１ボール８２は、閉成状態のときに、２つの第１ロック凹部８１と対向する回転部材６の２箇所に転動可能に設けられている。すなわち、その回転部材６の２箇所には、ボール収容孔８５がそれぞれ設けられている。これらボール収容孔８５は、第１ボール８２の径より若干大きな寸法の径で形成されていることが好ましい。この回転部材６とメインシャフト４の基部との間には、第１ボール８２をキーベース部材２側に付勢する第１ワッシャー８６が設けられている。
【００３４】
第１ワッシャー８６は、第１ボール８２をキーベース部材２側に付勢する一種の付勢部材である。第１ワッシャー８６は、メインシャフト４の基部４ａの径と略同じ寸法の径の円形状に形成されている。第１ワッシャー８６の周縁部には、メインシャフト４の基部４ａと同様に第１カム凹部７３より深い凹部８６ａが１８０°間隔で２箇所設けられている。また、第１ワッシャー８６の中央部には、メインシャフト４の第２円環部４ｃの軸回りに装着されるための取付孔８６ｂが同軸上に設けられている。この取付孔８６ｂの径は、第２円環部４ｃの径より若干大きな径で形成されていることが好ましい。また、第１ワッシャー８６の凹部８６ａ、８６ａ間の両方であって第１ボール８２が接する箇所より内側には、円弧状の変形孔８６ｃが同軸上に設けられている。
【００３５】
これにより、例えば、閉成状態、第１開成状態又は第３開成状態のときには、２つの第１ボール８２は、第１ロック凹部８１に入り込んでいるために、第１筐体１１及び第２筐体１２はロック状態に保持されるようになっている。また、閉成状態又は開成状態からメインシャフト４を軸に回転させると、第１ボール８２が第１ロック凹部８１から脱してキーベース部材２の第１摺動部２２上を摺動又は転動して、開成状態又は閉成状態になると、第１ロック凹部８１に入り込むので、第１筐体１１及び第２筐体１２はロック状態に保持されるようになっている。このように、第１ボール８２が第１ロック凹部８１から脱してキーベース部材２の第１摺動部２２上を摺動又は転動するとき、第１ワッシャー８６に変形孔８６ｃが設けられているので、第１ワッシャー８６は全体的に変形することなく一部分が変形するので、第１ワッシャー８６の耐久性が向上する。
【００３６】
第２ロック凹部８３は、例えば、回転部材６の第３摺動部６５の上面の周縁部近傍の９０°間隔の４箇所であって第２筐体の高さ方向（長手方向）に対して平行な直線上の２箇所とその幅方向に対して平行な直線上の２箇所の計４箇所に設けられている。これらの第２ロック凹部８３は、球面状、例えば、半球より面積が小さな球面状、すなわち、断面の円弧が劣弧である球面状にそれぞれ形成されている。第２ボール８４は、第２ロック凹部８３の径と同じか若干小さな寸法の径で形成されていることが好ましい。第２ボール８４は、閉成状態のときに、２つの第２ロック凹部８３と対向するＬＣＤベース部材３の第２摺動部３２の２箇所に転動可能に設けられている。すなわち、その第２摺動部３２の２箇所には、ボール収容孔８７がそれぞれ設けられている。これらボール収容孔８７は、第２ボール８４の径より若干大きな寸法の径で形成されていることが好ましい。この第２摺動部３２とＬＣＤシャフト５の基部５ａとの間には、第２ボール８４を回転部材６の第３摺動部６５側に付勢する第２ワッシャー８８が設けられている。
【００３７】
第２ワッシャー８８は、第２ボール８４を回転部材６側に付勢する一種の付勢部材である。第２ワッシャー８８は、シャフト収容凹部３３の径と略同じ寸法の径の円形状に形成されている。第２ワッシャー８８の周縁部には、シャフト収容凹部３３と同様に第２カム凹部７５より深い凹部８８ａが９０°間隔で３箇所に設けられている。また、第２ワッシャー８８の中央部には、ＬＣＤシャフト５の第２円柱部５ｃの軸回りに装着されるための取付孔８８ｂが同軸上に設けられている。この取付孔８８ｂの径は、第２円柱部５ｃの径より若干大きな径で形成されていることが好ましい。また、第２ワッシャー８８の凹部８８ａ、８８ａ間の両方であって第２ボール８４が接する箇所より内側には、円弧状の変形孔８８ｃが同軸上に設けられている。
【００３８】
これにより、例えば、閉成状態、第２開成状態又は第３開成状態のときには、２つの第２ボール８４は、第２ロック凹部８３に入り込んでいるために、第１筐体１１及び第２筐体１２はロック状態に保持されるようになっている。また、閉成状態又は開成状態からＬＣＤシャフト５を軸に回転させると、第２ボール８４が第２ロック凹部８３から脱して回転部材６の第３摺動部６５上を摺動又は転動して、開成状態又は閉成状態になると、第２ロック凹部８３に入り込むので、第１筐体１１及び第２筐体１２はロック状態に保持されるようになっている。このように、第２ボール８４が第２ロック凹部８３から脱して回転部材６の第３摺動部６５上を摺動又は転動するとき、第２ワッシャー８８に変形孔８８ｃが設けられているので、第２ワッシャー８８は全体的に変形することなく一部分が変形するので、第２ワッシャー８８の耐久性が向上する。
【００３９】
次に本発明に係る携帯電話機１０及び水平回転機構１の作用を説明する。
【００４０】
携帯電話機１０が使用されていない閉成状態では、図１（ａ）及び図４（ａ）に示すように、第１筐体１１と第２筐体１２とが互いに重なり合っている。このとき、第１ワッシャー８６の付勢力によって第１ボール８２が第１ロック凹部８１に付勢されていると共に、第２ワッシャー８８の付勢力によって第２ボール８４が第２ロック凹部８３に付勢されているので、第１筐体１１と第２筐体１２とが閉成状態にロック状態で保持されている。なお、この閉成状態をより確実に維持するために、別のロック機構を設けるようにしてもよい。
【００４１】
この閉成状態のとき、例えば、ストッパ部材７１の第１係合凸部７７が第１カム凹部７３に入り込んで係合している場合には、ＬＣＤシャフト５を軸に第１筐体１１及び第２筐体１２が回転可能である。また、このとき、ストッパ部材７１の第２係合凸部７８が第２カム凹部７５と対向しているために、ストッパ部材７１の第１係合凸部７７が第１カム凹部７３から離脱可能であるので、メインシャフト４を軸として第１筐体１１及び第２筐体１２を回転させることが可能である。よって、第１筐体１１及び第２筐体１２は、閉成状態のとき、ＬＣＤシャフト５及びメインシャフト４のいずれか一方のシャフトを軸に回転することが可能である。なお、開成状態においてもストッパ部材７１の第１係合凸部７７が第１カム凹部７３と対向していると共に、その第２係合凸部７８が第２カム凹部７５と対向しているので、第１筐体１１及び第２筐体１２は、ＬＣＤシャフト５及びメインシャフト４のいずれか一方のシャフトを軸に回転することが可能である。
【００４２】
この携帯電話機１０で操作等を行うには、例えば、第１筐体１１を固定した状態で第２筐体１２をメインシャフト４を軸に回転するように時計回りの水平方向に力を作用させる。すると、第２筐体１２は、第１筐体１１に対してメインシャフト４を軸に回転すると共に、第１ボール８２が第１ロック凹部８１から脱して第１摺動部２２上を摺動又は転動する。また、回転部材６もストッパ部材７１と共にメインシャフト４を軸に回転して、ストッパ部材７１の第１係合凸部７７が第１カム凹部７３に入り込んで係合している場合には（図６（ａ）参照。）、第１係合凸部７７が第１カム凹部７３から離脱すると共に、ストッパ部材７１が第１係合凸部７７から第２係合凸部７８方向に移動して第２係合凸部７８が第２カム凹部７５に入り込んで係合し（図６（ｂ）参照。）、この係合が行われている状態のまま第１係合凸部７７がメインシャフト４の周面を摺動又は近接した状態で移動する。第２筐体１２が第１筐体１１に対して略９０°回転した状態が中立状態であり、このときの水平回転機構１は図５（ｃ）に示すようになっている。
【００４３】
そして、第２筐体１２が第１筐体１１に対して略１８０°回転すると、回転部材６の壁部６ａがキーベース部材２のストッパ部２１に当接してその回転が止まると共に第１ボール８２が第１ロック凹部８１に入り込んでロック状態に保持される。この状態が図１（ｃ）及び図４（ｃ）に示すように、第１開成状態である。これにより、第１筐体１１の上面に設けたキーボード部が露出するので、キーボード操作が可能となり、携帯電話機１０を用いて操作等を行える。なお、この開成状態をより確実に維持するために、別のロック機構を設けるようにしてもよい。
【００４４】
また、閉成状態から例えば第１筐体１１を固定した状態で第２筐体１２をＬＣＤシャフト５を軸に回転するように時計回りの水平方向に力を作用させる。すると、第２筐体１２は、第１筐体１１に対してＬＣＤシャフト５を軸に回転すると共に、第２ボール８４が第２ロック凹部８３から脱して第３摺動部６５上を摺動又は転動する。また、回転部材６もストッパ部材７１と共にＬＣＤシャフト５を軸に回転して、ストッパ部材７１の第２係合凸部７８が第２カム凹部７５に入り込んで係合している場合には（図６（ｂ）参照。）、第２係合凸部７８が第２カム凹部７５から離脱すると共に、ストッパ部材７１が第２係合凸部７８から第１係合凸部７７方向に移動して第１係合凸部７７が第１カム凹部７３に入り込んで係合し（図６（ａ）参照。）、この係合が行われている状態のまま第２係合凸部７８が第２摺動部３２の周面を摺動又は近接した状態で移動する。そして、第２筐体１２が第１筐体１１に対して略９０°回転すると、ＬＣＤベース部材３の規制凹部３１に回転規制突部６１が当接してその回転が止まると共に第２ボール８４が第２ロック凹部８３に入り込んでロック状態に保持される。この状態が図１（ｂ）及び図４（ｂ）に示すように、第２開成状態である。これにより、第１筐体１１の上面に設けたキーボード部が露出するので、キーボード操作が可能となり、携帯電話機１０を用いて操作等を行える。なお、この開成状態をより確実に維持するために、別のロック機構を設けるようにしてもよい。
【００４５】
また、閉成状態から第１筐体１１を第２筐体１２に対してメインシャフト４を軸に回転させて第１開成状態にした後に、例えば第１筐体１１を固定した状態で第２筐体１２をＬＣＤシャフト５を軸に回転するように時計回りの水平方向に力を作用させる。すると、第２筐体１２は、第１筐体１１に対してＬＣＤシャフト５を軸に回転すると共に、第２ボール８４が第２ロック凹部８３から脱して第３摺動部６５上を摺動又は転動する。そして、第２筐体１２が第１筐体１１に対して略９０°回転すると、ＬＣＤベース部材３の規制凹部３１に回転規制突部６１が当接してその回転が止まると共に第２ボール８４が第２ロック凹部８３に入り込んでロック状態に保持される。この状態が図１（ｄ）及び図４（ｄ）に示すように、第３開成状態である。これにより、第１筐体１１の上面に設けたキーボード部が露出するので、キーボード操作が可能となり、携帯電話機１０を用いて操作等を行える。なお、この開成状態をより確実に維持するために、別のロック機構を設けるようにしてもよい。また、閉成状態から第２状態にＬＣＤシャフト５を軸に第１筐体１１及び第２筐体１２を互いに回転させてから第１筐体１１及び第２筐体１２をメインシャフト４を軸に互いに回転させて第３開成状態にするようにしてもよい。
【００４６】
このように、第１筐体１１に対する第２筐体１２の開成位置を３つの位置で位置決めできるので、汎用性に優れたものとなる。その結果、携帯電話機１０において、インターネット等の通信回線を利用した機能やゲーム機能を利用する場合には、第１筐体１１の上面に設けるキーの配列等を３つの開成状態に応じて操作し得るように配置することができ、機能を十分に利用することが可能となる。
【００４７】
開成状態から第２筐体１２を第１筐体１１に対して元の位置（閉成状態）に戻すには、例えば、第１開成状態の場合、例えば、第１筐体１１を固定した状態で第２筐体１２にメインシャフト４を軸に反時計回りに回転するように力を作用させる。すると、第２筐体１２は、第１筐体１１に対してメインシャフト４を軸に回転すると共に、第２ボール８４が第２ロック凹部８３から脱して第１摺動部２２上を摺動又は転動する。また、回転部材６もストッパ部材７１と共にメインシャフト４を軸に回転して、ストッパ部材７１の第１係合凸部７７が第１カム凹部７３に入り込んで係合している場合には、第１係合凸部７７が第１カム凹部７３から離脱すると共に、ストッパ部材７１が第１係合凸部７７から第２係合凸部７８方向に移動して第２係合凸部７８が第２カム凹部７５に入り込んで係合し、この係合が行われている状態のまま第１係合凸部７７がメインシャフト４の周面を摺動又は近接した状態で移動する。そして、第２筐体１２が第１筐体１１に対して略１８０°回転すると、回転部材６の壁部６ａがキーベース部材２のストッパ部２１に当接してその回転が止まると共に第１ボール８２が第１ロック凹部８１に入り込んで第１筐体１１及び第２筐体１２が閉成状態にロック状態で保持される。
【００４８】
また、第２開成状態の場合は、第１筐体１１及び第２筐体１２をＬＣＤシャフト５を軸に反時計回りに回転させる。すると、第２ボール８４が第２ロック凹部８３から脱して第３摺動部６５上を摺動又は転動する。また、回転部材６もストッパ部材７１と共にＬＣＤシャフト５を軸に回転して、ストッパ部材７１の第２係合凸部７８が第２カム凹部７５に入り込んで係合している場合には、第２係合凸部７８が第２カム凹部７５から離脱すると共に、ストッパ部材７１が第２係合凸部７８から第１係合凸部７７方向に移動して第１係合凸部７７が第１カム凹部７３に入り込んで係合し、この係合が行われている状態のまま第２係合凸部７８が第２摺動部３２の周面を摺動又は近接した状態で移動する。そして、略９０°回転すると、ＬＣＤベース部材３が回転規制突部６１に当接してその回転が止まると共に第２ボール８４が第２ロック凹部８３に入り込んで第１筐体１１及び第２筐体１２が閉成状態にロック状態で保持される。
【００４９】
また、第３開成状態の場合は、第１筐体１１及び第２筐体１２をメインシャフト４又はＬＣＤシャフト５を軸に反時計回りに回転させて第１開成状態又は第２開成状態にする。そして、第１筐体１１及び第２筐体１２をＬＣＤシャフト５又はメインシャフト４を軸に反時計回りに回転させることにより、第１筐体１１及び第２筐体１２を閉成状態にロック状態で保持することができる。
【００５０】
したがって、本発明に係る携帯電話機１０及び水平回転機構１は、第１開成状態、第２開成状態及び第３開成状態の３つの開成状態に位置決めすることができるので、機能を十分に利用することができ汎用性に優れたものとなる。
【００５１】
また、回転規制手段７を設けたので、第１筐体１１及び第２筐体１２の開閉操作をスムーズに行えることになる。すなわち、閉成状態又は開成状態では、図４〜図６に示すように、ストッパ部材７１の第１係合凸部７７と第１カム凹部７３が対向していると共に、第２係合凸部７８と第２カム凹部７５が対向しているので、第１筐体１１及び第２筐体１２は、メインシャフト４及びＬＣＤシャフト５のいずれか一方のシャフトを軸に回転することができる。この状態からメインシャフト４又はＬＣＤシャフト５を軸に第１筐体１１及び第２筐体１２が回転するとき、第２係合凸部７８が第２カム凹部７５に入り込んで係合しているか、又は第１係合凸部７７が第１カム凹部７３に入り込んで係合している。このとき、メインシャフト４を軸に回転している場合には、第１係合凸部７７がメインシャフト４の基部の周面に摺動又は近接して移動するので、第２係合凸部７８が第２カム凹部７５から離脱してその係合が解除されることがない。また、ＬＣＤシャフト５を軸に回転している場合には、第２係合凸部７８が第２摺動部３２の周面に摺動又は近接して移動するので、第１係合凸部７７が第１カム凹部７３から離脱してその係合が解除されることがない。このように第１筐体１１及び第２筐体１２が回転しているとき、その回転に寄与していないシャフトを軸に第１筐体１１及び第２筐体１２が回転することがないので、第１筐体１１及び第２筐体１２の開閉操作をスムーズに行える。その結果、開閉操作を容易に行えることになる。
【００５２】
また、ロック手段８を設けたので、第１筐体１１及び第２筐体１２を回転させて閉成状態又は開成状態になるときに、クリック感が発生して動作感が感じやすい。すなわち、第１筐体１１及び第２筐体１２がメインシャフト４を軸に回転しているときには、第１ボール８２は、第１摺動部２２上を摺動又は転動していると共に、第１ワッシャー８６によって第１摺動部２２側に付勢されている。このため、第１筐体１１及び第２筐体１２がメインシャフト４を軸に回転して閉成状態又は開成状態になると、第１ボール８２が第１ロック凹部８１に入り込んで係合するために、クリック感が発生して動作感が感じやすい。また、第１筐体１１及び第２筐体１２がＬＣＤシャフト５を軸に回転しているときには、第２ボール８４は、第３摺動部６５上を摺動又は転動していると共に、第２ワッシャー８８によって第３摺動部６５側に付勢されている。このため、第１筐体１１及び第２筐体１２がＬＣＤシャフト５を軸に回転して閉成状態又は開成状態になると、第２ボール８４が第２ロック凹部８３に入り込んで係合するために、クリック感が発生して動作感が感じやすい。よって、第１筐体１１及び第２筐体１２を回転させて閉成状態又は開成状態になるときに、クリック感が発生して動作感が感じやすいので、動作感が良好となる。
【産業上の利用可能性】
【００５３】
以上説明したように本発明に係る携帯機器の水平回転機構は、少なくとも閉成状態の第１筐体及び第２筐体が第１垂直軸を軸に互いに回転して第１開成状態となると共に、閉成状態の第１筐体及び第２筐体が第２垂直軸を軸に互いに回転して第２開成状態となるために、第１筐体と第２筐体とを複数の開成状態に位置決めすることができるので、機能を十分に利用することができ汎用性に優れたものであることから、携帯機器の中でも特にポケットコンピュータ、携帯ゲーム機に用いるものとして好適なものである。
【図面の簡単な説明】
【００５４】
【図１】本発明に係る水平回転機構を備えた携帯機器の一例を示す斜視図で、（ａ）は閉成状態を示す図、（ｂ）は第１開成状態を示す図、（ｃ）は第２開成状態を示す図、（ｄ）は第３開成状態を示す図である。
【図２】図１（ｃ）の本発明に係る水平回転機構を備えた携帯機器の分解斜視図である。
【図３】本発明に係る水平回転機構の要部を示す分解斜視図である。
【図４】図１における本発明に係る水平回転機構の要部を示す図である。
【図５】本発明に係る水平回転機構の要部を示す平面図で、（ａ）は閉成状態を示す図、（ｂ）は第１開成状態を示す図、（ｃ）は中立状態を示す図、（ｄ）は第２開成状態を示す図、（ｅ）は第３開成状態を示す図である。
【図６】本発明に係る回転規制手段の一例を示す平面図である。
【図７】本発明に係る第２リア筐体の一例を示す図で、（ａ）は斜視図、（ｂ）は平面図、（ｃ）は側面図である。
【図８】本発明に係る第１ベース部材の一例を示す斜視図である。
【図９】本発明に係る第２ベース部材の一例を示す斜視図である。
【図１０】本発明に係る回転部材の一例を示す斜視図である。
【図１１】本発明に係る第１シャフト部材の一例を示す斜視図である。
【図１２】本発明に係るストッパ部材の一例を示す斜視図である。
【図１３】本発明に係るストッパピンの一例を示す斜視図である。
【符号の説明】
【００５５】
１  水平回転機構
２  キーベース部材
３  ＬＣＤベース部材
４  メインシャフト（第１垂直軸）
５  ＬＣＤシャフト（第２垂直軸）
６  回転部材
７  回転規制手段
８  ロック手段
１０  携帯電話機
１１  第１筐体
１２  第２筐体
７１  ストッパ部材
７２  第１カム
７３  第１カム凹部
７４  第２カム
７５  第２カム凹部
７７  第１係合凸部
７８  第２係合凸部
８１  第１ロック凹部
８２  第１ボール
８３  第２ロック凹部
８４  第２ボール
【図１】
0004537930.tif 000002
【図２】
0004537930.tif 000003
【図３】
0004537930.tif 000004
【図４】
0004537930.tif 000005
【図５】
0004537930.tif 000006
【図６】
0004537930.tif 000007
【図７】
0004537930.tif 000008
【図８】
0004537930.tif 000009
【図９】
0004537930.tif 000010
【図１０】
0004537930.tif 000011
【図１１】
0004537930.tif 000012
【図１２】
0004537930.tif 000013
【図１３】
0004537930.tif 000014